【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
送信側ユーザ装置から受信側ユーザ装置へマルチメディアメッセージを効率的に伝送するための方法であって、
前記マルチメディアメッセージ及び前記受信側ユーザ装置のアドレス表示を含む第１のメッセージを前記送信側ユーザ装置から送信側サーバへ送信するステップと、
前記受信側ユーザ装置が関連づけされた受信側サーバを、前記アドレスの前記表示に基づいて特定するステップと、
前記第１のメッセージを前記受信側サーバへ送信するステップと、
前記アドレスの表示に基づいて前記受信側ユーザ装置を特定するステップと、
前記受信側ユーザ装置への前記マルチメディアメッセージのマルチキャスト配信を、
マルチキャストアドレスを割り当てるステップと、
前記マルチキャストアドレスを前記受信側ユーザ装置へ送信するステップと、
マルチキャスト伝送に適したオブジェクトへ前記マルチメディアメッセージを埋め込むステップと、
前記受信側ユーザ装置により、前記オブジェクトを受信するための準備を行うステップと、
前記受信側ユーザ装置により、前記マルチキャストアドレスに従ったマルチキャストグループの結合を行うステップと、
前記受信側ユーザ装置へ、前記オブジェクトを前記マルチキャスト伝送を介して送信するステップ、
によって実行するステップとを有することを特徴とする方法。
【請求項２】
前記マルチキャスト配信の実行ステップが、受信側ユーザ装置の数に基づくことを特徴とする請求項１記載の方法。
【請求項３】
前記受信側ユーザ装置が、前記アドレス表示に基づいて特定される、１つより多い受信側サーバに関連づけられ、前記第１のメッセージが前記１つより多い受信側サーバに送信されるとともに、前記１つより多い受信側サーバの各々が、自らに関連付けられた受信側ユーザ装置を特定し、前記マルチメディアメッセージの、自らに関連付けられた受信側ユーザ装置へのマルチキャスト配信を実行することを特徴とする請求項１又は請求項２に記載の方法。
【請求項４】
前記受信側ユーザ装置へ宛てられたマルチメディアメッセージの伝送状態を効率的にレポートするように適合された請求項１乃至請求項３のいずれか１項に記載の方法であって、
前記受信側ユーザ装置の１つにおける、前記マルチメディアメッセージの個別の伝送状態の表示を含む状態メッセージを受信するステップと、
前記表示を、前記マルチメディアメッセージの前記伝送状態を表す１つのレポートに集計するステップと、
前記レポートを前記送信側サーバへ送信するステップとを有することを特徴とする方法。
【請求項５】
前記表示が、前記送信側ユーザ装置、前記送信側サーバ及び前記受信側サーバを含むグループの少なくとも１つのエンティティから送信される要求に従って編集され、前記編集された表示が集計されることを特徴とする請求項４記載の方法。
【請求項６】
前記要求が変更可能であるか、１つ又は複数の要求が前記要求に追加可能であることを特徴とする請求項５記載の方法。
【請求項７】
前記レポートが統計的及び／又は課金目的で処理されることを特徴とする請求項４乃至請求項６のいずれか１項に記載の方法。
【請求項８】
マルチメディアメッセージを受信側ユーザ装置へ効率的に伝送するための受信側サーバであって、
メッセージを受信する受信ユニットと、
メッセージを送信する送信ユニットと、
メッセージ及び情報を処理する処理ユニットとを有し、
マルチメディアメッセージ及び受信側ユーザ装置のアドレス表示を含む第１のメッセージを受信し、前記アドレス表示に基づいて前記受信側ユーザ装置を特定し、前記マルチキャストメッセージの前記受信側ユーザ装置へのマルチキャスト配信を実行するように適合されるとともに、マルチキャストアドレスを割り当て、前記マルチメディアメッセージをマルチキャスト伝送に適したオブジェクトへ埋め込み、前記マルチキャストアドレスをマルチキャストグループへ結合するとともに、前記オブジェクトの受信の準備を行うために通知メッセージにより前記受信側ユーザ装置へ送信し、前記オブジェクトを前記マルチキャスト伝送を介して前記受信側ユーザ装置へ送信するように適合されることを特徴とする受信側サーバ。
【請求項９】
受信側ユーザ装置の数に基づいて前記マルチキャスト配信を実行するように適合されることを特徴とする請求項８記載の受信側サーバ。
【請求項１０】
前記受信側ユーザ装置へ宛てられたマルチメディアメッセージの伝送状態を効率的にレポートするように適合された、請求項８又は請求項９記載の受信側サーバであって、
それぞれが前記受信側ユーザ装置の１つにおける個別の前記マルチメディアメッセージの伝送状態の表示を含む状態メッセージを受信し、前記表示を前記マルチメディアメッセージの前記伝送状態を表す１つのレポートに集計し、前記レポートを前記送信側サーバへ送信するように適合されることを特徴とする受信側サーバ。
【請求項１１】
送信側ユーザ装置、前記送信側サーバ及び前記受信側サーバを含むグループの少なくとも１つのエンティティから送信される要求に従って前記表示を編集し、前記編集した表示を集計するように適合されることを特徴とする請求項１０記載の受信側サーバ。
【請求項１２】
前記要求を変更し、前記変更された要求に従って前記表示を編集するか、１つ又は複数の要求を追加し、当該追加された１つ又は複数の要求に従って前記表示を編集するように適合されることを特徴とする請求項１１記載の受信側サーバ。
【請求項１３】
前記レポートを統計的及び／又は課金目的で処理するように適合されることを特徴とする請求項１０乃至請求項１２のいずれか１項に記載の受信側サーバ。
【請求項１４】
受信側サーバの処理ユニットに読み込み可能なコンピュータプログラムであって、請求項１から請求項７のいずれかに係る方法の、前記受信側サーバに関するステップを実行するように適合されたコードを含むことを特徴とするコンピュータプログラム。
【手続補正２】
【補正対象書類名】明細書
【補正対象項目名】０００８
【補正方法】変更
【補正の内容】
【０００８】
特許文献１には、１つのメッセージを送信者からマルチキャスト伝送を用いて複数の遠隔受信者に送信するための方法及び通信ネットワークが開示されている。特許文献１において、送信側通信端末は回線を介してメッセージ及び受信者アドレスリストをネットワークサーバに送信する。ネットワークサーバはそのメッセージを、別の回線を介してリモートネットワークサーバに転送する。リモートネットワークサーバは、指示された遠隔受信者にメッセージを送信するため、指示された遠隔受信者に発呼する。
【非特許文献１】３ＧＰＰ技術仕様22.140 V.4.2.0 (2002-03)
【非特許文献２】３ＧＰＰ技術仕様23.140 V.4.6.0 (2002-03)
【特許文献１】米国特許第６，０８５，１０１号公報
【手続補正３】
【補正対象書類名】明細書
【補正対象項目名】０００９
【補正方法】変更
【補正の内容】
【０００９】
本発明の目的は、マルチメディアメッセージの配信に関し、また好ましくはレポーティングについて、マルチメディアメッセージサービスの効率を向上させる方法、装置及びコンピュータプログラムを提供することにある。
【手続補正４】
【補正対象書類名】明細書
【補正対象項目名】００１０
【補正方法】変更
【補正の内容】
【００１０】
この目的は請求項１に記載の方法によって達成される。さらに、本発明は請求項８記載のサーバ及び、請求項１４記載の、受信側サーバの処理ユニットに読み込み可能なコンピュータプログラムにおいて実施される。好適な実施形態は他の請求項に記載される。